(57)【要約】【課題】炊飯器本体にヒンジピンにより蓋を開閉自在に取付け、前記ヒンジピンに装着した単一のヒンジばねの蓋側ばねフック部を蓋の裏面に当接させ該蓋に開放方向の付勢力を付与する場合に、そのばね荷重を蓋の中心に確実に作用させ、偏荷重による蓋の変形を防止することである。【解決手段】ヒンジピン３に装着されたヒンジばね８の蓋側ばねフック部２５の先端部にＬ形の屈曲部３７を設け、その屈曲部３７を蓋２の裏面に中心線Ｃに沿って設けたリブ３８に交差状に当接させた構成を採用した。【選択図】  図３
2004357787.tif 000002
【特許請求の範囲】
【請求項１】
炊飯器本体に対しヒンジピンにより蓋を開閉自在に取付け、前記ヒンジピンに単一のヒンジばねを装着し、そのヒンジばねの一端部に設けた本体側ばねフック部を前記炊飯器本体に係合するとともに、他端部の蓋側ばねフック部を蓋裏面に当接させて前記蓋に開放方向の付勢力を及ぼすようにした炊飯器の蓋付勢構造において、前記蓋裏面に蓋の前後方向の中心線上に沿ったリブを設け、前記蓋側ばねフック部を該リブに交差状に当接させたことを特徴とする炊飯器の蓋付勢構造。
【請求項２】
前記蓋側ばねフック部の先端部にＬ形の屈曲部を設け、その屈曲部を前記リブに対し交差状に当接させたことを特徴とする炊飯器の蓋付勢構造。
【請求項３】
前記ヒンジばねのコイル部の位置を、前記中心線を含む位置又は該中心線から離れた位置に設定したことを特徴とする請求項１又は２に記載の炊飯器の蓋付勢構造。
【発明の詳細な説明】
【０００１】
【発明の属する技術分野】
この発明は炊飯器に関し、特に蓋の付勢構造に関するものである。
【０００２】
【従来の技術】
炊飯器本体の後部に挿通したヒンジピンにより蓋を開閉自在に取付け、そのヒンジピンに装着したヒンジばねの本体側ばねフック部を炊飯器本体の一部に係合させるとともに、蓋側ばねフック部を蓋の裏面に当接させることにより蓋を開放方向に付勢し、ロックを解除するとその付勢力で自動的に蓋が開放されるようにしている。通常、前記のヒンジばねは左右一対のものが中心対称の形状で装着されるが、部品点数低減の観点から単一のヒンジばねを用いる場合もある（特許文献１参照）。
【０００３】
前記のヒンジばねのばね荷重を蓋に対してバランスよく付与するために、左右一対のヒンジばねを用いる場合は前述のように中心対称の形状に装着され、また、単一のヒンジばねを用いる場合は蓋側ばねフック部が蓋の中心線に当接するように装着される。
【０００４】
【特許文献１】
特開２００３−３８３４３号公報（図２、図９参照）
【０００５】
【発明が解決しようとする課題】
前記のように、部品点数の低減の観点から単一のヒンジばねを用いることが要求される場合があるが、そのヒンジばねの取付け位置が所定の位置からずれると、蓋側ばねフック部の当接位置が中心線からずれることになるため、蓋に偏荷重が作用し、炊飯による熱サイクルの影響とも相まって次第に蓋が変形する問題があった。
【０００６】
そこで、この発明は蓋に対する付勢力を付与するためのヒンジばねとして単一のものを使用する一方、その蓋側ばねフック部の荷重が作用する点が蓋中心からずれることがなく、ばね荷重がバランスよく蓋に作用するようにして、蓋に変形を来たさないようにすることを課題とする。
【０００７】
【課題を解決するための手段】
前記の課題を解決するために、この発明は、炊飯器本体に対しヒンジピンにより蓋を開閉自在に取付け、前記ヒンジピンに単一のヒンジばねを装着し、そのヒンジばねの一端部に設けた本体側ばねフック部を前記炊飯器本体に係合するとともに、他端部の蓋側ばねフック部を蓋裏面に当接させて前記蓋に開放方向の付勢力を及ぼすようにした炊飯器の蓋付勢構造において、前記蓋裏面に蓋の前後方向の中心線上に沿ったリブを設け、前記蓋側ばねフック部を該リブに交差状に当接させた構成を採用した。
【０００８】
前記の構成によると、ヒンジばねのコイル部の位置精度に関係なく、蓋側ばねフック部はリブに交差状に当接し、そのリブを通じてばね荷重が蓋の中心線上に伝わるため、偏荷重となることが避けられる。
【０００９】
前記蓋側ばねフック部の先端部にＬ形の屈曲部を設け、その屈曲部を前記リブに対し交差状に当接させるようにすると、ヒンジばねのコイル部の位置が屈曲部分の長さの範囲で位置がずれても、ばね荷重はつねに蓋の中心線上に作用する。
【００１０】
前記ヒンジばねのコイル部の位置を、前記中心線を含む位置又は該中心線から離れた位置に設定することができる。
【００１１】
なお、前記炊飯器の胴部ヒンジ部に蓋取付け台を設け、その蓋取付け台の内部に前記ヒンジばねを収納し、該蓋取付け台に嵌合した蓋ヒンジ部材と前記蓋取付け台及びその内部のヒンジばねに前記ヒンジピンを貫通して蓋ヒンジ部材を蓋取付け台に開閉自在に取付けるとともに、前記ヒンジばねにより開放方向に付勢力を及ぼし、前記蓋を構成する外蓋を該蓋ヒンジ部材に取付けた構成を採用すると、ヒンジカバーのない構造の炊飯器においてもこの発明を適用することができる。
【００１２】
【発明の実施の形態】
以下、この発明の実施の形態を添付図面に基づいて説明する。図１に示すように、実施形態の炊飯器は、炊飯器本体１に蓋２をヒンジピン３（図２参照）により開閉自在に取付けている。蓋２は外蓋４の内面に内蓋５を取付けると共に、内蓋５の後部において外蓋４の内面に固定した蓋ヒンジ部材６により、前記のヒンジピン３を介して炊飯器本体１の胴部７に取付けられる。ヒンジピン３には単一のヒンジばね８が装着され、これにより蓋２に開放方向の付勢力が付与される。
【００１３】
炊飯器本体１の内部に炊飯釜９が収納され、前面に操作パネル１１が設けられる。また操作パネル１１の上部にロック解除ボタン１２が設けられる。図２に示すように、炊飯器本体１の内部に加熱板１３が設けられ、前記の炊飯釜９がその上に載る。前記の内蓋５に蒸気穴１４に通じた蒸気穴セット１５が取付けられる。内蓋５の外周に蓋パッキン１６が装着され、前記の炊飯釜９の開口周縁に密着される。炊飯器本体１の胴部７の後部上面に蓋取付け台１７が設けられ、その蓋取付け台１７に前記の蓋ヒンジ部材６を介して外蓋４とこれに組み合わされた内蓋５が取付けられる。
【００１４】
前記の蓋ヒンジ部材６は、図３に示すように、前記蓋取付け台１７の両側面の外面に嵌合するヒンジ部１８、１８が左右両側において後方に突き出して設けられ、各ヒンジ部１８、１８にそれぞれヒンジ穴１９、１９が同芯状に設けられる。左右のヒンジ部１８の間に平面視コの字形の嵌合部２１が形成され、その嵌合部２１が蓋取付け台１７に嵌合される。
【００１５】
前記の蓋取付け台１７の上端開口部２０からその内部の後方から見て右半分に前記の単一のヒンジばね８が収納され、各ヒンジ部１８のヒンジ穴１９と蓋取付け台１７の軸受穴２２に挿通されたヒンジピン３が蓋取付け台１７の内部においてヒンジばね８のコイル部２３に貫通される（図３参照）。ヒンジばね８の一端に設けられた本体側ばねフック部２４は蓋取付け台１７の内部に挿通係合され、また、他端に設けられた蓋側ばねフック部２５は蓋ヒンジ部材６のフック受け部２６を通って外蓋４の裏面に当接される（図２参照）。
【００１６】
前記の蓋ヒンジ部材６はヒンジピン３を中心として回転自在であり、前方に倒れた状態（蓋２の閉鎖状態）でその嵌合部２１が蓋取付け台１７の前面に嵌合し、起立した状態（蓋２の開放状態）で嵌合部２１が蓋取付け台１７の上方に嵌合する。この蓋ヒンジ部材６及び外蓋４はヒンジばね８のばね力により常に起立方向に付勢される。
【００１７】
前記の蓋ヒンジ部材６と外蓋４との連結構造は、次のようなものである。即ち、外蓋４の後端面には前記の蓋取付け台１７に嵌合する形状の長方形の切欠き部２７が設けられ（図４、図５参照）、その切欠き部２７の内側の左右において角柱形のねじ止めボス部２８、２８が一体に形成されている。また、各ねじ止めボス部２８の内側には環状の補強リブ２９が形成され、その補強リブ２９に一対の切欠き３１、３１による位置決め部が形成される。
【００１８】
一方、蓋ヒンジ部材６には、前記のヒンジ部１８、１８の近傍においてねじ止めボス部２８、２８に合致するボス嵌合部３２、３２が設けられ（図４参照）、これらのボス嵌合部３２にビス穴３３が設けられる。また、図６（ａ）に示すように、蓋ヒンジ部材６の前記嵌合部２１と反対側の面に前記補強リブ２９の外周面に沿う円弧部３４が形成され、その円弧部３３に前記の切欠き３１、３１に嵌合する位置決め突片３５、３５等が設けられる。
【００１９】
図６（ａ）（ｂ）に示すように、内蓋５を取付けた外蓋４の切欠き部２７に前記の円弧部３４を差込み、ビス３６、３６により蓋ヒンジ部材６と、内蓋５付きの外蓋４を結合する。
【００２０】
図７（ａ）は前記のようにして取付けた蓋２のヒンジピン３近辺の平面図である。その蓋側ばねフック部２５の先端部には、図７（ｂ）に示したように、逆Ｌ形に屈曲されコイル部２３の長さ方向外向きに延びた屈曲部３７が形成され、その屈曲部３７が外蓋４の裏面に設けたリブ３８に対し交差状に当接し、実質上点接触する。リブ３８は外蓋４の前後方向の中心線Ｃ上において所要長さを持つように形成される（同図（ｃ）参照）。
【００２１】
コイル部２３の位置は、図７（ｂ）のように中心線Ｃから離れている状態の他に、図８（ａ）のように、中心線Ｃを含む状態のほか、同図（ｂ）のようにコイル部２３の中心が中心線Ｃ上にあるような配置をとることができる。コイル部２３の位置が前記のように変わっても、屈曲部３７とリブ３８の当接位置は常に中心線Ｃ上にある。
【００２２】
前述のように、前記の蓋側ばねフック部２５はその中間部分が蓋ヒンジ部材６のフック受け部２６を通っているので、そのばね力はフック受け部２６に作用するものと前述のリブ３８に作用するものに分散されるが、リブ３８に作用するばね荷重のみに着目すると、そのばね荷重は外蓋４の中心線上に作用する。このため、外蓋４に作用するばね荷重は偏ることなく、バランスよく外蓋４に作用する。
【００２３】
なお、図９に示したように、蓋ヒンジ部材６のフック受け部２６を省略し、蓋側ばねフック部２５の屈曲部３７を直接外蓋４のリブ３８に交差状に当接させる場合もある。また、蓋ヒンジ部材６を用いることなく、外蓋４と一体化した蓋リング部材をヒンジピン３により炊飯器本体１側に取付け、ヒンジカバーによりヒンジばねやヒンジピン等をカバーする形式の炊飯器においても、そのヒンジピン３に単一のヒンジばねを装着し、前記の場合と同様にその蓋側ばねフック部２５の屈曲部３７を外蓋４の中心線上のリブ３８に交差状に当接させる場合もある。いずれの場合も、ばね荷重は外蓋４に対しバランス良く作用する。
【００２４】
【発明の効果】
以上のように、この発明によれば、ヒンジばねが単一の場合であっても、そのばね荷重が常に蓋の中心部に作用する結果、蓋に対して左右バランス良くばね荷重が作用するので蓋の変形が防止される。また、ヒンジばねのコイル部の設置位置やその設置精度に影響を受けることなく、安定した付勢力を蓋に及ぼすことができる。
【図面の簡単な説明】
【図１】実施形態の炊飯器の蓋開放時の斜視図
【図２】同上の蓋閉鎖時の断面図
【図３】同上のヒンジ部の一部切欠断面図
【図４】同上のヒンジ部の分解斜視図
【図５】同上の蓋の分解斜視図
【図６】（ａ）蓋の取付け前の一部正面図
（ｂ）蓋の取付け後の一部正面図
【図７】（ａ）同上の蓋のヒンジ部の平面図
（ｂ）（ａ）図のヒンジばねの平面図
（ｃ）（ｂ）図の一部断面図
【図８】（ａ）（ｂ）同上の他の変形例の平面図
【図９】他の実施形態のヒンジ部の断面図
【符号の説明】
１  炊飯器本体
２  蓋
３  ヒンジピン
４  外蓋
５  内蓋
６  蓋ヒンジ部材
７  胴部
８  ヒンジばね
９  炊飯釜
１１  操作パネル
１２  ロック解除ボタン
１３  加熱板
１４  蒸気穴
１５  蒸気穴セット
１６  蓋パッキン
１８  ヒンジ部
１９  ヒンジ穴
２０  開口部
２１  嵌合部
２２  軸受穴
２３  コイル部
２４  本体側ばねフック
２５  蓋側ばねフック部
２６  フック受け部
２７  切欠き部
２８  ねじ止めボス部
２９  補強リブ
３１  切欠き
３２  ボス嵌合部
３３  ビス穴
３４  円弧部
３５  位置決め突片
３６  ビス
３７  屈曲部
３８  リブ
【図１】
2004357787.tif 000003
【図２】
2004357787.tif 000004
【図３】
2004357787.tif 000005
【図４】
2004357787.tif 000006
【図５】
2004357787.tif 000007
【図６】
2004357787.tif 000008
【図７】
2004357787.tif 000009
【図８】
2004357787.tif 000010
【図９】
2004357787.tif 000011